(57)【要約】  【課題】通信網を介して、遠隔地から式典へ参列できるようにする。  【解決手段】従来は、式典の主催者側と参列者側のどちらか一方から他方へ、式典に関する情報を送信する方法がとられており、遠隔地にいる参列者が実際に式典に出席しているような臨場感を出すことは困難であった。本発明では、双方の同期をとりながら、リアルタイムに互いの情報を送受信することで、あたかも実際に式典会場において式典に参加しているかのような状況を作り出すことができる。また、式典の種類を問わず、様々な式典に適用することができる。【選択図】  図１
2005211542.tif 000002
【特許請求の範囲】
【請求項１】
遠隔参列端末と、
祭壇本体、祭壇前机、祭壇本体脇生花用花瓶、を含む式典祭壇セットと、
からなる式典システムであって、
前記遠隔参列端末は、
人物映像情報を撮影するためのカメラ部と、
前記カメラ部で撮影された人物映像情報を前記式典祭壇端末に送信するための送信部と、
を有し、
前記式典祭壇セットは、さらに
前記送信部から送信された人物映像情報を受信する受信部と、
前記受信部が受信した人物映像情報を表示する表示ディスプレイ部と、
を有する式典システム。
【請求項２】
前記受信部で受信した人物映像情報を加工して加工済人物映像情報を生成するための加工済人物映像情報生成部をさらに有し、
前記表示ディスプレイ部は、前記人物映像情報に代えて前記加工済人物映像情報生成部が生成した加工済人物映像情報を表示する請求項１に記載の式典システム。
【請求項３】
式典の目的に合致する人物背景映像情報を保持する人物背景映像情報保持部を有し、
前記加工済人物映像情報生成部は、人物映像情報の人物像を除く背景を前記人物背景映像情報保持部に保持されている人物背景映像情報に置換する請求項２に記載の式典システム。
【請求項４】
前記人物映像情報は、動画である請求項１から３のいずれか一に記載の式典システム。
【請求項５】
前記人物映像情報は、音声情報を含み、
前記式典祭壇セットは、さらに受信部が受信した人物映像情報に含まれる音声情報を出力するスピーカ部を有する請求項１から４のいずれか一に記載の式典システム。
【請求項６】
前記式典祭壇セットは、前記遠隔参列端末の利用者に対して参列行動を指示するための参列行動指示情報を生成する参列行動指示情報生成部と、
前記参列行動指示情報生成部で生成された参列行動指示情報を、前記遠隔参列端末に対して送信するための参列行動指示情報送信部を有し、
前記遠隔参列端末は、
前記参列行動指示情報送信部から送信された遠隔参列指示情報を受信する遠隔参列指示情報受信部と、
前記遠隔参列指示情報受信部で受信した遠隔参列指示情報を出力する遠隔参列指示情報出力部と、を有する
請求項１から５のいずれか一に記載の式典システム。
【請求項７】
前記式典祭壇セットは、祭壇前机にて式典参列者を撮影するための祭壇カメラ部を有し、
前記表示ディスプレイ部は、前記受信部で受信した人物映像情報に代えて、前記祭壇カメラ部で撮影された祭壇前机映像情報を表示する表示切替手段を有する請求項１に記載の式典システム。
【請求項８】
前記ディスプレイ部は、式典祭壇本体セットの左側又は右側に設置されている請求項１から７のいずれか一に記載の式典祭壇システム。
【請求項９】
前記ディスプレイ部は、式典参列者のうち、祭壇付近に位置できず、祭壇前机付近を肉眼にて視認できない者のために祭壇前机周辺の映像を視聴可能とする大型ディスプレイである請求項８に記載の式典システム。
【請求項１０】
遠隔参列端末と、祭壇本体、祭壇前机、祭壇本体脇生花用花瓶、を含む式典祭壇セットと、を用いて式典を行なう式典方法であって、
遠隔参列端末においては、
自分映像を撮影する撮影ステップと、
前記撮影ステップで撮影された人物映像情報を送信する送信ステップと、を実行し、
祭壇本体、祭壇前机、祭壇本体脇生花用花瓶、を含む式典祭壇セットにおいては、
前記送信ステップで送信された人物映像情報を受信する受信ステップと、
前記受信ステップで受信した人物映像を表示する表示ステップと、を実行する式典方法。
【発明の詳細な説明】
【技術分野】
【０００１】
本発明は、式典システムに関するものである。
【背景技術】
【０００２】
祭典や葬式などの式典に参加する参列者は、直接、式典会場に来場して参加するのが、通常の参加方法であるが、参加者が遠方に住んでいる場合やスケジュールの都合により、式典に参加することが困難な場合がある。
【０００３】
このような場合に、式典に遠隔地から参加する方法として、インターネット利用して香典などを送付することで葬儀に参加するような仕組みが考えられている（例えば、特許文献１参照）。
【特許文献１】特開２００１−２２２６３９
【発明の開示】
【発明が解決しようとする課題】
【０００４】
しかしながら、このようなシステムは、参加者側から弔電などの文字情報をインターネットを介して送信したり、主催者側から葬儀の様子を配信したり、あくまで一方的に情報送信をするものであり、インターネットなどの通信網を介して式典に参加している人が実際に式典に参加しているような臨場感に欠けてしまう。
【０００５】
また、実際の式典では、参列者は他のどのような人物が式典に参加しているかが気になり、特に著名人が式典に参加すると式典の格調が上がるという傾向がある。つまり、参加者と主催者の関係のみならず、参加者同士の関係が式典への参加に深く関わっている。このようなことから、著名人を式典に参加させたいという要求もあるが、著名人は多忙で、時間的な制約等により参加が困難な場合が多い。このような要求を満たすのは、従来の技術では難しいと考えられる。なぜなら、自分以外に誰が式典に参加しているかを、実際に式典に参加している人へ伝える手段が無かったからである。
【課題を解決するための手段】
【０００６】
本発明では、この課題を解決するために、参列者が直接に式典会場まで行かずとも、ネットワークを通してリアルタイムに式典に参加することができ、実際に式典に参加している人に、インターネットを介して誰が参加しているかを伝えることができる式典システムを提案する。
【０００７】
この式典システムでは、遠隔地の参列者と式典会場の両方に互いの情報を送受信するためのシステムを有し、また、式典会場と参列者の同期をとるために、式典会場から参列者に対して指示を出すなどの仕組みにより、あたかも実際に式典会場に来場して参列しているかのような状況を作り出すことができる。
【０００８】
また、式典は様々な種類が考えられ、葬儀のみならず結婚式や歓迎式典などを想定しており、特定の種類に限定されるものではない。
【発明の効果】
【０００９】
以上のように、本発明の式典システムにおいては、式典への参列者が直接会場に来場せずとも、ネットワークを介してリアルタイムに式典に参列することが可能になる。また、式典会場において式典に参列している参列者にも、インターネットを介して誰が参列しているのかを知らせることができる。
【００１０】
また、遠隔地の参列者と式典会場との同期をとる仕組みを提供することで、遠隔地の参列者があたかも実際に式典会場に来場して参列しているかのような状況を作り出すことが期待できる。
【００１１】
また、この式典システムは式典の種類を問わず、様々な式典に適用することができるため、幅広く活用できるシステムであると考えられる。
【発明を実施するための最良の形態】
【００１２】
以下に、本発明の実施の形態を説明する。なお、本発明はこれら実施の形態に何ら限定されるものではなく、その要旨を逸脱しない範囲において、種々なる態様で実施しうる。
【００１３】
なお、以下の実施形態と請求項の関係は次の通りである。
【００１４】
実施形態１は、主に請求項１などについて説明する。
【００１５】
実施形態２は、主に請求項２などについて説明する。
【００１６】
実施形態３は、主に請求項３などについて説明する。
【００１７】
実施形態４は、主に請求項４、５などについて説明する。
【００１８】
実施形態５は、主に請求項６などについて説明する。
【００１９】
実施形態６は、主に請求項７などについて説明する。
【００２０】
実施形態７は、主に請求項８、９などについて説明する。
<<実施形態１>>
【００２１】
<実施形態１の概要>
【００２２】
本実施形態は、式典への参列者が、ネットワークを通して遠隔地から式典に参加するための式典システムである。
【００２３】
図１は、本実施形態の概念の一例を示すものである。
【００２４】
式典システムでは、通信網を介して双方向に、かつ、リアルタイムに情報を送受信することで、参列者が遠隔地から式典に参加することができる。
【００２５】
<実施形態１の構成>
【００２６】
本実施形態での構成の一例を図２、図３に、機能ブロックの一例を図４に示す。
【００２７】
図２に示す本実施形態の「式典祭壇セット」（０２００）は、「祭壇本体」（０２１０）と、「祭壇前机」（０２２０）と、「祭壇本体脇生花用花瓶」（０２３０）と、「表示ディスプレイ部」（０２４０）と「受信部」（０２５０）とからなる。
【００２８】
「祭壇本体」（０２１０）は、通常、式典に使用される祭壇であって、式典の種類や規模などにより、形、大きさ等は様々なものが考えられる。
【００２９】
「祭壇前机」（０２２０）は、前記祭壇本体（０２１０）の前に置かれる机である。式典の種類によって、使用方法は異なる。
【００３０】
「祭壇本体脇生花用花瓶」（０２３０）は、前記祭壇本体（０２１０）の脇に置かれる生花用の花瓶である。形、大きさ等は様々なものが考えられる。また材質もどのようなものであってもよい。花類を配置するために利用するためのものであれば、どのようなものであってもよい。
【００３１】
「受信部」（０２４０）は、式典会場に送信される遠隔地の参列者の人物映像情報を受信するために設置される。受信経路は、インターネット回線を利用してよいし、電話回線を利用してもよい。また場合によっては衛星通信などを利用してもよい。さらにこれら複数のメディアを組み合わせて利用してもよい。
【００３２】
「表示ディスプレイ部」（０２５０）は、前記受信部（０２４０）が受信した人物映像情報を表示するために設置されるが、式典の雰囲気を損なわないように、あくまで「式典祭壇セット」（０２００）の構成要素の一つとして、祭壇本体と一体化させるように設置される。たとえば、祭壇に飾られる花と統一性のある花を表示ディスプレイ部に飾ったり、統一性のある装飾表示ディスプレイ部に配したりする。
【００３３】
図３は本実施形態の「遠隔参列端末」（０３００）の概念説明図を例示する。遠隔参列端末（０３００）は「カメラ部」（０３１０）と、「送信部」（０３２０）とからなる。
【００３４】
「カメラ部」（０３１０）は、人物映像情報を取得する。例えば、ＣＣＤカメラで撮影をしてＪＰＥＧのデータを生成する。図の例では、遠隔参列端末のディスプレイ上部に設置されているカメラが、遠隔参列のためにディスプレイ前にいる人の像である人物映像情報を取得する。ＪＰＥＧのデータのほかに、ＭＰＥＧなどの動画像、その他の形式の映像情報であってもよい。また、カメラ部は、遠隔参列する人の操作によってその映像を取得するようにしてもよいし、なんらの操作なしに人物映像情報を取得してもよい。さらに、この人物映像情報は、あらかじめ録画された情報であってもよいし、遠隔参列端末上で何らかの加工がされたものであってもよい。
【００３５】
「送信部」（０３２０）は、カメラ部（０３１０）で撮影された人物映像情報を前記式典祭壇セット（０２００）に送信する。送信の手段は、前述のように、式典祭壇セットの受信部で受信できる形式であれば、どのような送信媒体を利用してもよい。たとえば、電話回線、インターネット回線、専用回線、のほか、一部で衛星通信を利用するなどしてもよい。
【００３６】
<実施形態１の具体例>
【００３７】
本実施形態の具体例を挙げて説明する。図２は式典会場側の一例であり、図３は遠隔地にいる参列者側の一例である。また、図４は式典システムの機能ブロック図である。
【００３８】
まず、図２の式典会場側であるが、表示ディスプレイ部（０２５０）には、遠隔地の遠隔参列端末（０３００）から送信されてきた参列者の人物映像情報が表示される。
【００３９】
次に、図３の遠隔地にいる参列者側であるが、参列者は自分の部屋などで遠隔端末装置（０３００）に向かって合掌などをすると、その様子がカメラ部（０３１０）で撮影され、送信部によって式典会場の式典祭壇セット（０２００）へ送信される。
【００４０】
また、図４は式典システムにおける人物映像情報の流れを示している。遠隔参列端末（０４００）のカメラ部（０４０１）で撮影された人物映像情報は送信部（０４０２）から式典祭壇セット（０４１０）に送信され、受信部（０４１１）で受信された後、表示ディスプレイ部（０４１２）で表示される。
【００４１】
<実施形態１の処理の流れ>
【００４２】
図５は、実施形態１での処理の流れの一例を示したものである。本実施形態における式典システムの処理は、以下に示すステップよりなる。
【００４３】
最初に、前記遠隔参列端末により、参列者の撮影を行う（参列者撮影ステップ  Ｓ０５１０）。
【００４４】
次に、前記参列者撮影ステップで撮影された人物映像情報を前記送信部から送信する（人物映像情報送信ステップ  Ｓ０５２０）。
【００４５】
次に、前記人物映像情報送信ステップで送信された人物映像情報を、前記式典祭壇セットの受信部で受信する（人物映像情報受信ステップ  Ｓ０５３０）。
【００４６】
最後に、前記人物映像情報受信ステップで受信された人物映像情報を、前記表示ディスプレイ部により表示する（参列者表示ステップ  Ｓ０５４０）。
【００４７】
<実施形態１の効果>
【００４８】
本実施形態の式典システムにおいては、式典において直接会場に来場することが困難な参列者が、遠隔地における参列者の人物映像情報をネットワークを通じて式典会場に送信することにより、式典へ参加することを可能にすることができる。また、実際に式典が行われている会場に、遠隔参列端末で撮影された人物映像情報が表示されるので、誰が参列しているかを、実際の参列者も目で見て知ることができる。
<<実施形態２>>
【００４９】
<実施形態２の概要>
【００５０】
本実施形態は、受信した参列者の人物映像情報を加工して加工済人物映像情報を生成し、前記表示ディスプレイに表示する式典システムである。
【００５１】
遠隔地からの参列者の服装などが式典に適当でない場合、式典の雰囲気を損なう可能性があり、式典に参加する参列者が減少すると思われるため、人物映像情報を加工できる機能を有する。
【００５２】
<実施形態２の構成>
【００５３】
本実施形態での機能ブロックの主要部の一例を図６に示す。本実施形態の式典システムは、実施形態１と同様に遠隔参列端末と、式典祭壇セットと、からなる。本実施形態の特徴点は式典祭壇セットに特にあるので、これについて詳述する。
【００５４】
図６に示す本実施形態の「式典祭壇セット」（０６００）は、「受信部」（０６１０）と、「加工済人物映像情報生成部」（０６２０）と、「表示ディスプレイ部」（０６３０）とからなる。
【００５５】
前記「加工済人物映像情報生成部」（０６２０）を除いた構成は、実施形態１と共通である。本実施形態は受信された人物映像情報を加工することができることを特徴とする。
【００５６】
「加工済人物映像情報生成部」（０６２０）は、前記受信部（０６１０）から受信された人物映像情報を加工して、加工済人物映像情報を生成するためのものである。ここで受信した人物映像情報を加工することとし、遠隔参列端末側で加工することとしなかったのは、映像情報の加工が比較的計算機負荷の大きいものだからである。したがって、これを式典祭壇セットの側で実施することにより、遠隔参列端末の負荷を軽くし、また、そのような機能のない遠隔参列端末であっても気軽にこのシステムを利用することが可能となるようになっている。なぜなら、急な式典への参加を求められる人物が必ずしもこのようなシステムに対応した端末装置を都合のよい場所に用意できるとは限らないからである。
【００５７】
<実施形態２の具体例>
【００５８】
本実施形態の特徴点である加工済人物映像情報生成部の概念を、具体例を挙げて説明する。図７にその具体例の一例を示す。加工用画像を保存しておく加工用画像ＤＢ（０７２０）があり、その中に例えば式典の目的に合うような服装の画像が一または複数保存されている。前記加工済人物映像情報生成部（０７００）に人物映像情報（０７１０）が受信されると、加工用ＤＢ（０７２０）から式典の目的に合う服装画像を選択し、人物映像情報の人物の服装と置き換え、加工済人物映像情報（０７３０）を生成する。
【００５９】
なお、この加工済人物映像情報は、通信回線を介して遠隔参列端末にフィードバックされるように構成されていてもよい。このようにすると、遠隔参列端末を利用して式典に参列する人は、その実際の式典会場で自身がどのように映し出されているのか確認することができ安心するからである。なお、このフィードバック結果に基づいて自身が納得できない映像であると感じた場合には再加工の指示を前記式典祭壇セットの加工済人物映像情報生成部に出したり、又は、加工済映像情報のディスプレイへの表示を拒否するなどの構成を付加してもよい。さらに、この加工済人物映像情報生成部は、遠隔参列端末から遠隔操作可能に構成されていてもよい。そうすれば、遠隔に参列する者は、納得ができる人物映像情報を実際の式典会場にて披露することが可能となる。しかも、実際の人物映像情報の加工処理は遠隔参列端末でなく、式典祭壇セットの側にて行われているので遠隔参列端末の処理負荷が大きくなることもない。特に、遠隔参列端末での遠隔処理を可能とするためには、前記式典祭壇セットの加工済人物映像情報生成部はインターネット上のウエッブページを利用して遠隔参列端末から遠隔操作ができるようになっていると便利である。
【００６０】
<実施形態２の処理の流れ>
【００６１】
図８は、実施形態２での処理の流れの一例を示したものである。ここで、人物映像情報の加工（Ｓ０８２０）を除いたステップは、実施形態１と共通である。
【００６２】
人物映像情報の加工のステップでは、人物映像情報受信ステップ（Ｓ０８１０）で受信された人物映像情報の背景を加工し、加工済人物映像情報を生成する（人物映像情報加工ステップ  Ｓ０８２０）。その後、加工済人物映像情報は、参列者表示ステップ（Ｓ０８３０）で前記表示ディスプレイ部により表示される。
【００６３】
<実施形態２の効果>
【００６４】
本実施形態の式典システムにおいては、参列者が遠隔地から式典に参加する際に、正装する時間がない時などでも、式典の雰囲気を損うことなく参列することができる。
<<実施形態３>>
【００６５】
<実施形態３の概要>
【００６６】
本実施形態は、受信した参列者の人物映像情報を加工する際に、式典の目的に合致するような背景映像により加工する式典システムである。
【００６７】
式典の目的に合致する背景画像を使用して人物映像情報を加工することで、遠隔地の参加者を、より式典の雰囲気に合致させることができる機能を有する。
【００６８】
<実施形態３の構成>
【００６９】
本実施形態での機能ブロックの一例を図９に示す。実施形態３は、実施形態２を基本としたものであり、その特徴点は、前記式典祭壇セットが人物背景映像情報保持部を有し、前記加工済人物映像情報生成部の生成する加工済人物映像情報の背景をその保持している人物背景映像情報に置換する点にある。したがって、その特徴点を中心に以下に説明する。
【００７０】
図９に示す本実施形態の「式典祭壇セット」（０９００）は、「受信部」（０９１０）と、「人物背景映像情報保持部」（０９２０）と、「加工済人物映像情報生成部」（０９３０）と、「表示ディスプレイ部」（０９４０）とからなる。遠隔参列端末は前記同様である。
【００７１】
前記「人物背景映像情報保持部」（０９２０）を除いた構成は、実施形態１又は２と共通であり、本実施形態は受信された人物映像情報の背景を加工する際に、式典の目的に合致する人物背景映像情報を使用して加工することを特徴とする。
【００７２】
「人物背景映像情報保持部」（０９２０）は、前記加工済人物映像情報生成部（０９３０）で人物映像情報の背景を加工する際に置換する人物背景映像情報を保持するためのものである。
【００７３】
<実施形態３の具体例>
【００７４】
本実施形態の具体例を挙げて説明する。
【００７５】
図１０に本実施形態の具体的な機能ブロック図の一例を示す。受信部（１０１０）で、Ｂという検索キーを持つ人物映像情報Ｂを受信すると、人物背景映像情報保持部（１０２０）に保持されている人物背景映像情報ＤＢから、ＢをキーとしてＦｉｌｅ２が選択される。次に、加工済人物映像情報生成部（１０３０）において、人物映像情報Ｂの背景をＦｉｌｅ２で置き換え、加工済人物映像情報が生成される。最後に、表示ディスプレイ部（１０４０）において加工済人物映像情報が表示される。
【００７６】
ここで「Ｂ」という検索キーは、遠隔参列端末から入力される値であってもよい。たとえば、年齢と、性別を示す情報、服装の好みのタイプを示す情報などである。
【００７７】
さらに、図１１に本実施形態の具体例の一例を示す。人物背景映像情報保持部（１１２０）があり、その中に式典の目的に合うような背景の画像が幾つか保存されている。前記加工済人物映像情報生成部（１１００）に人物映像情報（１１１０）が受信されると、人物背景映像情報保持部（１１２０）から式典の目的に合う背景画像を選択し、人物映像情報の人物の背景と置き換え、加工済人物映像情報（１１３０）を生成する。
【００７８】
<実施形態３の処理の流れ>
【００７９】
図１２は、実施形態３での処理の流れの一例を示したものである。ここで、人物背景映像情報の取得（Ｓ１２２０）と人物映像情報を人物背景映像情報により加工（Ｓ１２３０）を除いたステップは、実施形態２と共通である。
【００８０】
人物映像情報受信ステップ（Ｓ１２１０）で人物映像情報を受信すると、前記人物背景映像情報保持部より人物背景映像情報を取得する（人物背景映像情報取得ステップ  Ｓ１２２０）。その後、人物映像情報の背景を人物背景映像情報により置き換えて、加工済人物映像情報を生成する（人物映像情報加工ステップ  Ｓ１２３０）。その後、加工済人物映像情報は、参列者表示ステップ（Ｓ１２４０）で前記表示ディスプレイ部により表示される。
【００８１】
<実施形態３の効果>
【００８２】
本実施形態の式典システムにおいては、参列者が遠隔地から式典に参加する際に、より適切な背景画像を使用することで、あたかも式典会場において式典に参加しているような臨場感を出すことができる。
<<実施形態４>>
【００８３】
<実施形態４の概要>
【００８４】
本実施形態は、受信した参列者の人物映像情報が動画であり、音声情報を含み、音声情報を出力する機能を有する式典システムである。
【００８５】
人物映像情報が動画であり、音声情報を含むことで、遠隔地からの参列者があたかも式典会場に来場しているかのような印象を、式典会場の来場者に与えることができる。
【００８６】
<実施形態４の構成>
【００８７】
本実施形態での機能ブロックの一例を図１３、図１５に示す。
【００８８】
図１３に示す本実施形態の「式典祭壇セット」（１３００）は、「受信部」（１３１０）と、「人物背景映像情報保持部」（１３２０）と、「加工済人物映像情報生成部」（１３３０）と、「表示ディスプレイ部」（１３４０）とからなる。これらの構成は、実施形態３と共通である。ただし、前記受信部（１３１０）で受信される人物映像情報は動画であり、前記人物背景映像情報が動画、または静止画である点が異なる。
【００８９】
また、図１５に示す本実施形態の「式典祭壇セット」（１５００）は、「受信部」（１５１０）と、「人物背景映像情報保持部」（１５２０）と、「加工済人物映像情報生成部」（１５３０）と、「スピーカ部」（１５４０）と、「表示ディスプレイ部」（１５５０）とからなる。前記「スピーカ部」（１５４０）を除いた構成は、実施形態３と共通である。
【００９０】
「スピーカ部」（１５４０）は、前記受信部（１５１０）で受信された人物映像情報（動画）に音声情報が含まれており、音声情報を出力するためのものである。
【００９１】
<実施形態４の具体例>
【００９２】
本実施形態の具体例を挙げて説明する。
【００９３】
図１４に本実施形態の具体的な機能ブロック図の一例を示す。受信部（１４１０）で、Ｂというキーを持つ人物映像情報Ｂ（動画）を受信すると、人物背景映像情報保持部（１４２０）に保持されている動画人物背景映像情報ＤＢから、ＢをキーとしてＦｉｌｅ２が選択される。次に、加工済人物映像情報生成部（１５３０）において、人物映像情報Ｂ（動画）の背景をＦｉｌｅ２で置き換え、加工済人物映像情報（動画）が生成される。最後に、表示ディスプレイ部（１０４０）において加工済人物映像情報（動画）が表示される。
【００９４】
ここで、人物背景映像情報保持部（１４２０）に保持されている人物背景映像情報をここでは動画としているが、これは一例であって、静止画であってもよい。
【００９５】
<実施形態４の処理の流れ>
【００９６】
本実施形態における処理の流れは、実施形態３での処理と同様である。ただし、人物映像情報受信ステップにおいて、受信する人物映像情報は動画であり音声情報を含むこと、人物背景映像情報取得ステップにおいて、取得する人物背景映像情報は動画または静止画であること、参列者表示ステップにおいて、映像と共に音声も出力する点が異なる。
【００９７】
<実施形態４の効果>
【００９８】
本実施形態の式典システムにおいては、参列者が遠隔地から式典に参加する際に、人物映像情報を動画で表示し音声情報を提供することで、あたかも式典会場において式典に参加しているような感覚を他の参列者に対して与えることができる。
<<実施形態５>>
【００９９】
<実施形態５の概要>
【０１００】
本実施形態は、遠隔参列端末の利用者に対して、参列行動を支持するための参列行動指示情報を生成し遠隔参列端末に対して送信する機能と、遠隔参列端末で参列行動指示情報を受信し利用者に対して出力する機能を有する式典システムである。
【０１０１】
式典会場から、遠隔地にいる参列者に対してとるべき参列行動を指示することができる。
【０１０２】
<実施形態５の構成>
【０１０３】
本実施形態での機能ブロックの一例を図１６に示す。
【０１０４】
図１６に示す本実施形態の「式典祭壇セット」（１６００）は、「受信部」（１６０１）と、「人物背景映像情報保持部」（１６０２）と、「加工済人物映像情報生成部」（１６０３）と、「スピーカ部」（１６０４）と、「表示ディスプレイ部」（１６０５）と、「参列行動指示情報生成部」（１６０６）と、「参列行動指示情報送信部」（１６０７）とからなる。
【０１０５】
前記「参列行動指示情報生成部」（１６０６）と、「参列行動指示情報送信部」（１６０７）を除いた構成は、実施形態４と共通である。
【０１０６】
「参列行動指示情報生成部」（１６０６）は、遠隔地の参列者に対して指示するための参列行動指示情報を生成するためのものである。
【０１０７】
「参列行動指示情報送信部」（１６０７）は、前記参列行動指示情報生成部で生成された参列行動指示情報を送信するためのものである。
【０１０８】
また、「遠隔参列端末」（１６１０）は、「遠隔参列指示情報受信部」（１６１１）と、「遠隔参列指示情報出力部」（１６１２）と、「カメラ部」（１６１３）と、「送信部」（１６１４）とからなる。
【０１０９】
前記「遠隔参列指示情報受信部」（１６１１）と、「遠隔参列指示情報出力部」（１６１２）を除いた構成は、実施形態１と共通である。
【０１１０】
「遠隔参列指示情報受信部」（１６１１）は、前記遠隔参列端末に送信された遠隔参列指示情報を受信するためのものである。
【０１１１】
「遠隔参列指示情報出力部」（１６１２）は、前記遠隔参列指示情報受信部（１６１１）で受信された遠隔参列指示情報を遠隔参列端末の利用者に表示するためのものである。
【０１１２】
本実施形態は、参列行動指示情報生成部（１６０６）で遠隔参列端末（１６１０）を利用している参列者に指示する参列行動指示情報を生成し遠隔参列端末に送信することで、参列者にとるべき行動を指示することができることを特徴とする。
【０１１３】
<実施形態５の具体例>
【０１１４】
本実施形態の具体例を挙げて説明する。ここでは、ホワイトハウスにいる米国大統領に式典であいさつをすることを例としている。
【０１１５】
図１７に本実施形態の具体的な機能ブロック図の一例を示す。参列行動指示情報生成部（１７０６）において‘Next U.S. president's speech’という参列行動指示情報が生成され、参列行動指示情報送信部（１７０７）で遠隔参列端末（１７１０）に送信される。送信された‘Next U.S. president's speech’という遠隔参列指示情報は遠隔参列指示情報受信部（１７１１）で受信され、遠隔参列指示情報出力部（１７１２）で出力される。
【０１１６】
また、図１８に本実施形態の具体例の一例を示す。まず、式典会場において司会者が"次は米国大統領のあいさつです。"と紹介すると、参列行動指示情報生成部（１８１０）において‘Next U.S. president's speech’という参列行動指示情報が生成され、参列行動指示情報送信部（１８２０）でホワイトハウスの遠隔参列端末に送信される。送信された遠隔参列指示情報は、遠隔参列指示情報受信部（１８３０）で受信され、遠隔参列指示情報出力部（１８４０）によって遠隔参列端末で参列している米国大統領に‘Next U.S. president's speech’を出力する。それを見た米国大統領は指示に従ってあいさつを行うと、式典会場のディスプレイに米国大統領の映像と音声が流れる。
【０１１７】
<実施形態５の効果>
【０１１８】
本実施形態の式典システムにおいては、遠隔地から式典に参加している参列者に対して、参列行動を指示することにより、式典会場での式典の進行に合わせて、遠隔地の参列者に行動させることができる。
<<実施形態６>>
【０１１９】
<実施形態６の概要>
【０１２０】
本実施形態は、祭壇前の参列者を撮影しディスプレイに祭壇前の映像を表示することで、式典会場に来場している参列者に祭壇前の様子を見せることができる式典システムである。
【０１２１】
式典会場において、会場が非常に広い場合などは、特に会場後方に参列している参列者には祭壇前の状況がよく分からないことがあるため、祭壇前の様子を撮影しディスプレイで表示することで、すべての参列者に式典の状況を知らせることができる。
【０１２２】
<実施形態６の構成>
【０１２３】
本実施形態での機能ブロックの一例を図１９に示す。
【０１２４】
図１９に示す本実施形態の「式典祭壇セット」（１９００）は、「受信部」（１９１０）と、「人物背景映像情報保持部」（１９２０）と、「加工済人物映像情報生成部」（１９３０）と、「祭壇カメラ部」（１９４０）と、「スピーカ部」（１９５０）と、「表示ディスプレイ部」（１９７０）と、「表示切換手段」（１９６０）と、「参列行動指示情報生成部」（１９８０）と、「参列行動指示情報送信部」（１９９０）とからなる。
【０１２５】
前記「祭壇カメラ部」（１９４０）と「表示切換手段」（１９６０）を除いた構成は、実施形態５と共通であり、本実施形態は遠隔地の参列者の人物映像情報と、祭壇前の映像を撮影した祭壇前机映像情報を切り換えて表示することを特徴とする。
【０１２６】
「祭壇カメラ部」（１９４０）は、祭壇前机にて式典参列者を撮影するためのものである。
【０１２７】
「表示切換手段」（１９６０）は、加工済人物映像情報生成部（１９３０）から送られてくる加工済人物映像情報と、前記祭壇カメラ部（１９４０）から送られてくる祭壇前机映像情報を切り換えるための機能である。
【０１２８】
<実施形態６の具体例>
【０１２９】
本実施形態の具体例を挙げて説明する。
【０１３０】
図２０に本実施形態の具体例の一例を示す。最初に、リアル表示状態の場面では式典会場で参列しているＡさんのあいさつが行われている。この時、前記表示ディスプレイには祭壇前であいさつしているＡさんの祭壇前机映像情報が表示されている。次に、切換え時の場面では、遠隔地から参列しているＢさんがあいさつをする場面になり、Ｂさんにあいさつをする旨の参列行動指示がなされる。この時、前記表示切換手段によって表示される映像が加工済人物映像情報に切り換えられる。最後に、遠隔表示状態においては、遠隔地のＢさんがあいさつをする映像が表示される。
【０１３１】
<実施形態６の効果>
【０１３２】
本実施形態の式典システムにおいては、遠隔地の参列者を表示ディスプレイに表示するだけではなく、祭壇前の参列者の映像を撮影し表示することで、祭壇前の状況を、式典会場にいる参列者に知らせることができる。
<<実施形態７>>
【０１３３】
<実施形態７の概要>
【０１３４】
本実施形態は、式典祭壇セットの表示ディスプレイ部が、式典祭壇本体の左側又は右側に設置されていることと、式典参列者のうち、祭壇付近に位置できず祭壇前机付近を肉眼で視認できない参列者のために、祭壇前机周辺の映像を視聴可能とする大型ディスプレイである式典システムである。
【０１３５】
式典会場において、大型ディスプレイを使用することで、祭壇付近に位置できない参列者に、祭壇前の状況をより視認させ易くすることができる。また、表示ディスプレイ部は式典祭壇本体の左側又は右側に設置されるが、特に大型のディスプレイの場合、祭壇から離れて位置していると圧迫感があり式典の雰囲気を損なう可能性があるため、式典祭壇セットと表示ディスプレイ部を一体化させるような配置をする。
【０１３６】
<実施形態７の構成>
【０１３７】
本実施形態における構成は実施形態６の構成と同様である。
【０１３８】
<実施形態７の具体例>
【０１３９】
本実施形態の具体例を挙げて説明する。
【０１４０】
図２１に本実施形態の具体例の一例を示す。図２１ではディスプレイが祭壇本体の右側に位置されており、式典祭壇セットと一体感を出すために、
【０１４１】
<実施形態７の効果>
【０１４２】
本実施形態の式典システムにおいては、ディスプレイ部が大型ディスプレイであることと、祭壇本体と一体化させるように祭壇の左右に配置することで、式典の雰囲気を損なわずに式典会場の参列者に対して祭壇前の状況をより見えやすくすることができる。
【図面の簡単な説明】
【０１４３】
【図１】実施形態１を説明するための概念図
【図２】実施形態１を説明するための概念図
【図３】実施形態１を説明するための概念図
【図４】実施形態１を説明するための機能ブロック図
【図５】実施形態１の処理の流れを説明する図
【図６】実施形態２を説明するための具体的機能ブロック図
【図７】実施形態２を説明するための概念図
【図８】実施形態２の処理の流れを説明する図
【図９】実施形態３を説明するための機能ブロック図
【図１０】実施形態３を説明するための具体的機能ブロック図
【図１１】実施形態３を説明するための概念図
【図１２】実施形態３の処理の流れを説明する図
【図１３】実施形態４を説明するための機能ブロック図
【図１４】実施形態４を説明するための具体的機能ブロック図
【図１５】実施形態４を説明するための機能ブロック図
【図１６】実施形態５を説明するための機能ブロック図
【図１７】実施形態５を説明するための具体的機能ブロック図
【図１８】実施形態５を説明するための概念図
【図１９】実施形態６を説明するための機能ブロック図
【図２０】実施形態６を説明するための概念図
【図２１】実施形態７を説明するための概念図
【図１】
2005211542.tif 000003
【図２】
2005211542.tif 000004
【図３】
2005211542.tif 000005
【図４】
2005211542.tif 000006
【図５】
2005211542.tif 000007
【図６】
2005211542.tif 000008
【図７】
2005211542.tif 000009
【図８】
2005211542.tif 000010
【図９】
2005211542.tif 000011
【図１０】
2005211542.tif 000012
【図１１】
2005211542.tif 000013
【図１２】
2005211542.tif 000014
【図１３】
2005211542.tif 000015
【図１４】
2005211542.tif 000016
【図１５】
2005211542.tif 000017
【図１６】
2005211542.tif 000018
【図１７】
2005211542.tif 000019
【図１８】
2005211542.tif 000020
【図１９】
2005211542.tif 000021
【図２０】
2005211542.tif 000022
【図２１】
2005211542.tif 000023